(57)【要約】      （修正有）【課題】各種のシューズでは、運動の力量、質ともにマンネリズムになって、満足した運動ができず、特に各運動に共通する基礎体力、バランス感覚の低下と体幹、足腰、膝を強化できない不十分さがあり、運動の形態、能力、感覚で運動負荷の微妙な調整が不可欠になり、技量内容、課題や達成レベルが不透明、足を含む身体の運動効果や躍動感の迫力が欠け、足とシューズの一体性がないという不都合を解決する。【解決手段】シューズの踏まず部、かかと部の部位で横アーチ状に中底３１の下部、ミッドソール３２、或いは本底３３の上部から材質の種類、体積が適度な皮革片、合成繊維、マジックテープｂ、マジックバンドｃなどの非伸縮性帯状のものを介して表革の外周全体を覆って、締め具合、接触面圧力の調整機能がある固定式、着脱式を設け、踏まず部が単体と複数、踏まず部とかかと部が分離、結合した構造を有することにより、この課題を解決する。【選択図】図１
2013184044.tif 000002
【特許請求の範囲】
【請求項１】
各種のシューズにおける、自在に動く足に付随して生起するシューズ内外部のロスを三次元に緩和する構造のものを設け、足のエネルギーがシューズへ的確に伝達できる運動能力の発掘を効果的に展開し、足とシューズ間が適正な整合性と従属的な一体化を有する構成要素を特徴とした足適合用シューズ。
【請求項２】
シューズの踏まず部、又はかかと部の部位で横アーチ状に中底の下部、ミッドソール、或いは本底の上部から材質の種類、体積、硬度、デザインが適度な皮革片、合成繊維、マジックテープ、マジックバンド、紐やカン類、ハトメ類などを併用した非伸縮性帯状のものを介して、表革の内側から外側への外周全体を覆って、締め具合、接触面圧力の調整機能を備えた構造の固定式、着脱式のものを設け、踏まず部が単体、踏まず部が複数、踏まず部とかかと部が分離、踏まず部とかかと部が均整が取れて結合したものをそれぞれに構成し、足の運動形態、表革と中底を含むシューズ全体の硬軟度に適応したフレキシビリティーでフィットするように融合させることを特徴とした請求項１記載の足適合用シューズ。
【発明の詳細な説明】
【技術分野】
【０００１】  本発明は、各種のシューズに関するものであり、シューズの踏まず部、又はかかと部の部位に非伸縮性帯状のものを介して表革の外周全体を覆い、シューズの構造体の特有の形状、構成、機能に工夫を加えることによって、シューズ全体の均衡を保つことで、運動能力を効果的に展開するものである。
【背景技術】
【０００２】  従来、各種のシューズを使用する場合、足の運動範囲、運動量に適応する十分なシューズが不足しているため、満足する運動能力が身に付かない、足への負担があり、特に基礎体力やバランス感覚の集中力の不安定化、足腰や膝などの各身体部分の疲労、運動パワーや運動スキルへの発展性が乏しくなっているのが現状である。
【発明の開示】
【発明が解決しようとする課題】
【０００３】  しかし、従来のような各種のシューズでは、運動の力量、質ともにマンネリズムになって、満足した運動ができず、特に各運動種目に共通する基礎体力、バランス感覚の低下、体幹、足腰、膝を強化できない不十分さがある。又、運動の形態、能力、感覚によっても運動負荷の微妙な調整が不可欠になる場合が往々にして生じ、技量内容、課題や達成レベルなどが不透明であり、足を含む身体の運動効果や躍動感の迫力が欠け、足とシューズの一体性がないのが現状である。本発明は、これらの不都合を解決することを課題とする。
【課題を解決するための手段】
【０００４】  この課題を解決するための請求項１の発明は、各種のシューズにおける、自在に動く足に付随して生起するシューズ内外部のロスを三次元に低減する構造のものを設け、足のエネルギーがシューズへ的確に伝達できる運動能力の発掘を効果的に展開し、足とシューズ間が適正な整合性と従属的な一体化を有する構成要素を特徴とした足適合用シューズである。【０００５】  又、請求項２の発明は、シューズの踏まず部、又はかかと部の部位で横アーチ状に中底の下部、ミッドソール、或いは本底の上部から材質の種類、体積、硬度、デザインが適度な皮革片、合成樹脂、合成繊維、マジックテープ、マジックベルト、マジックバンド、ベルクロ、ストラップ、紐、カン、ハトメ、アイレット、バックル、などを併用した非伸縮性帯状のもの、リング状の一部が途切れた中底の下部の両サイドの一部から、又はリング状で繋がった中底の下部の両サイド全体からを介して表革の内側から外側への外周全体を覆って、締め具合、接触面圧力の調整機能を備えた構造の固定用、着脱用のものを設け、踏まず部が単体、踏まず部が複数、踏まず部とかかと部が分離、踏まず部とかかと部が均整が取れて結合したもの、それぞれの帯状の体積、特に横幅が適当なサイズと適正な踏まず部の位置部分、かかと部の位置部分を可変することができるように構成し、足の運動形態、表革と中底を含むシューズ全体の硬軟度に適応したフレキシビリティーでフィットするように融合させることができる足適合用シューズである。
【発明の効果】
【０００６】  本発明は、自主的に他者に関係なくマイペースメニューで運動が可能であり、あらゆる場所や時間においての運動負荷の各流動化した運動形態、運動トレーニングや身体各部へ合同的、個別的にするフレキシビリティーなものが自由な状態でコントロールでき、シューズと足の一体化で余分なエネルギーを排除させ、利用者が要求する適合化のトレーニング形態、ボディー形態を満足する運動体制が確立し、各種の運動への高いモチベーションができる。【０００７】  表革覆い帯状を調整して足を動かすことによって、地面を蹴る接地するの三次元方向のプロセスを効率的にサポートし、足裏が刺激、筋肉や神経を保護され、アーチの形成を促して、しっかりキープ、ジャストフィットすることで足への疲れ、ストレスを軽減、膝、腰への負担も緩和する。身体能力を向上させ、通常のライフスタイルの中でも自然的にボディー強化への効能をより増強にする融和した威力を発揮し、幅広い分野で利用法が可能である。【０００８】  運動目的、運動形態、運動能力、運動体力、運動感覚、各ボディーなどによる各利用者と各シューズの表革覆い帯状に適合した組み合わせたものを適正に選択して使用することで、アスリートを初めに一般の健全者、幼児から老人は勿論のこと、病弱者、障害者、傷害者なども対象としたもので、身体各部の運動トレーニング、各種スポーツ、アウトドア、日常、ビジネスのライフスタイルやリハビリテーションを効果的に成し遂げることが可能であり、快適に楽しむことができる奥深い各種マテリアルを提供することができる。【０００９】  本発明の表革覆い帯状で踏まず部とかかと部の締め具合、接触面圧力の調整機能を備え安定させることで、通常のシューズのシューレースだけではシューズの運動の効能に完全な成果がなかったが、土踏まずとインソールが全体的にフィットとしている感覚が強化でき、シューズと足間の運動エネルギーのギャップ、アンバランスを縮小したものが生起され、シューズ内の足のズレ、ブレ、過剰に動くなどのロスを適正に抑制することができる。【００１０】  各運動種目に必要で重視されている基礎体力、バランス感覚、集中力、体幹、足腰、肩、手や腕などの全身、各身体部分の運動パワーは運動スキルとしての進歩が著しく、各自が各表革覆い帯状を身体能力、体調、気候、運動の範囲、量、時間、レベルなどによる各部位の締め具合を微妙に調節する工夫をして運動、トレーニングや社会生活へとシューズのメカニズムとしてのスタイルを定着化ができ、更に表革覆い帯状の固定式と着脱式を使用できる。
【発明を実施するための最良の形態】
【００１１】  図１は、足適合用シューズの概略図で固定式と着脱式の表革の踏まず部部位、横アーチ外周全体に帯状の締め具合、接触面圧力の調整機能を備えた体積、特に横幅、縦の長さが適当なサイズと適正な踏まず部の位置部分などを可変、選択することができるようにした構造のもので覆って、着脱式の図中の１４のａで皮革片と合成繊維は表革覆い帯状を外しても障害にならない体積、材質、形状のものにし、表革間との隙間を小さくする。【００１２】  図１でシューズの表革覆い帯状は、各シューズの材質、構造にフィットさせる適当な幅、長さ、厚さ、形状、硬軟度がある普遍的な帯状のものを導入した固定、着脱のどちらも可能であり、デザインを含む色彩などもシューズに適合するワンポイントのアクセサリーに利用でき、身体能力、運動の範囲、量、時間などによる表革覆い帯状の機能構成を整備、適合されたものと併有し、表革間とのグリップと帯状の通気、耐久の性能があるものにする。【００１３】  図２は、固定式の各表革覆い帯状の形体の概略図の３例で、２１は踏まず部が複数３本の表革覆い帯状であり、踏まず部の前側、中側、後側の各帯状を身体能力、運動の範囲、量、時間、レベルなどによる締め具合を微妙に調節する。２２は踏まず部とかかと部が分離した表革覆い帯状であり、かかと部も設け、より着地時の足のブレを軽減するようにし、各帯状を適度に調整する。かかと部の帯状はアッパー上部の適当な位置に帯状のズレ止め取り付ける。２３は踏まず部とかかと部が均整が取れて結合した表革覆い帯状であり、各帯状を１つに纏めて締め圧力の調整をする。【００１４】  図３は、靴内と固定・着脱式帯状の配置の概略図で、靴内部と表革覆い帯状が組み込まれる関係を示し、シューズの踏まず部、又はかかと部の部位で横アーチ状に中底の下部、ミッドソール、或いは本底の上部から皮革片、合成繊維、マジックテープ、マジックバンド、紐、カン、ハトメなどを併用した非伸縮性帯状のリング状の一部が途切れた中底の下部の両サイドの一部から、又はリング状で繋がった中底の下部の両サイド全体からを介して表革の内側から外側への外周全体を覆って、締め具合、接触面圧力の調整機能を備えた構造の固定用のものと着脱用のものを作るようにする。【００１５】  図１から図３は足適合用シューズの概略図例であり、本発明の特許請求の範囲を満足すれば、この限りではない。
【産業上の利用可能性】
【００１６】  本発明に係る足適合用シューズは、工業的に量産する事が可能であるため、産業上の利用可能性を有する。
【図面の簡単な説明】
【００１７】
【図１】  足適合用シューズの概略図（固定式・着脱式＆帯状締め調整部）
【図２】  足適合用シューズの概略図（固定式の各表革覆い帯状の形体）
【図３】  足適合用シューズの概略図（靴内と固定・着脱式帯状の配置）
【符号の説明】
【００１８】図中の文字、数字は次の通りである。
１１  ：固定式・内側表革覆い帯状        １２  ：固定式・外側表革覆い帯状
１３  ：帯状の締め圧力調整部            １４  ：着脱式・外側表革覆い帯状
１５  ：マジックバンド                  １６  ：使用のマジックバンド・締め時
２１  ：固定式・踏まず部が複数の帯状    ２２  ：固定式・踏まず部とかかと部分離
２３  ：固定式・踏まず部とかかと部結合  ３１  ：中底
３２  ：ミッドソール                    ３３  ：本底
３４  ：固定式・途切れた組込の帯状      ３５  ：固定式・繋がった組込の帯状
３６  ：マジックバンド                  ３７  ：紐類
３８  ：着脱式・途切れた組込の帯状      ３９  ：着脱式・繋がった組込の帯状
ａ    ：皮革片＆合成繊維                ｂ    ：マジックテープ
ｃ    ：マジックバンド                  ｄ    ：角ハトメ＆カン
ｅ    ：帯状のズレ止め                  ｆ    ：靴内部にはめ込まれる部分
ｇ    ：シューレース                    ｈ    ：アイレット＆ハトメ
【図１】
2013184044.tif 000003
【図２】
2013184044.tif 000004
【図３】
2013184044.tif 000005